【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
折り畳まれた上側が、（図６０、６１のような）切妻屋根型カートンのように、スリットの両側部間のいくつかの層を互いに押し当てて封鎖する手段により組み合わされた上側であるパッケージにおいて、
（図１４のように）スリットを有し、四角形を一端から他端まで巻いたような筒型管形状を有し、
前記スリットの両端部の角部が丸くなっており、
前記スリットの４つの延びた角部のすべてが、前記パッケージの折り畳まれた切妻屋根型上部の４つの傾斜側部の下に合致するフックへと曲げられ、
一対のフックは、てこの作用とボタンまたはハンドルとバネを用いて定位置の内外へ移動可能であり、
一対のフックは、前記筒型管形状にくっつくようにその開口部の上または内側に堅く適合する手段に接続可能であり、
前記筒型管形状は２つの筒型管形状でなり、その双方がスリットと一端部に一対のフックを有し、他端が互いに押し込まれ、双方の部材が互いに適合して両部材を互いに正しい位置に保持する溝または凸部を具え、
前記２つの部材はバネ、留め金、またはバネと組み合わせたボタンを小さい部材に配置し、このボタンが大きな部材の穴に完全に圧入して適合するものを用いて互いに連結可能であり、
一方の側から他方の側へと延びるボルトと前記スリットの２つの側部を互いに堅く押圧するウィングナットを具えてもよいことを特徴とするパッケージ。
【請求項２】
請求項１に記載の、スリットの２つの側部間のいくつかの層を互いに押し当てることにより前記パッケージの開口部を封鎖する手段において、当該手段は２つのヒンジ式の四角形でなり、一方の四角形がそのヒンジ端部に１つのみのフックを有し、他方の四角形がヒンジじゃない端部の対応する側部に１つのみのフックを有し、
前記ヒンジ式の四角形は、一方の側に溝を具え、筒型管形状のスリットが巻いた四角形が双方の溝に適合するように互いに押され、
前記ヒンジ式の四角形は、留め具またはボルトとウィングナットで押圧されてもよく、
前記ヒンジ式の四角形は、一方の側にゴムの層を有してもよいことを特徴とする手段。
【請求項３】
請求項１に記載の、スリットの２つの側の間のいくつかの層を互いに押し当てることにより前記パッケージの開口部を封鎖する手段において、前記手段が中央にスリットを有する四角形からなり、
（図１、図８に示すように）前記四角形の両端部を下側に折り曲げ可能であり、
前記スリットの線上中央を通る余剰の折り曲げ長さを有し、下側に厚くなった層を有し、前記スリットの両側に沿って長さを有し、前記四角形の両端部は前記パッケージの両側の前記折り畳まれた切妻屋根状開口部の４つの傾斜側部の下側の自由空間へと適合して固定され、
スリットを形成する２の厚くなった層の両側は、前記スリットの下側が上側より細くなるよう傾斜してもよく、
前記延ばした四角形の両端部に自己接着性の層が取り付けられて、両端部が前記パッケージの折り畳まれた切妻屋根状の上側の両側部の自由空間の下の側部に固定され、
カートンのいずれかの形態、あるいはプラスチックや織物との組合せで作成可能であり、
前記四角形の一端部は水滴や液体を吸収しうる手段に連結可能であり、この手段は前記カートンの本体を囲んでおり、
この手段はまた前記四角形に連結しないでも使用可能であり、この手段はまた、接着剤を配置可能な上側に受け入れられる自動接着性材料の層で前記カートンに連結されてもよいことを特徴とする手段。
【請求項４】
請求項１に記載のパッケージにおいて、前記切妻屋根状の上側が完全に展開され、前記開口部の周囲を前記パッケージの下側の周囲と同じようになり、
前記パッケージ全体が清潔で未使用であり、図５４、５５、５６、９に特徴付けられるように平坦に畳まれ、図２２、２３のパッケージの展開バージョンにすべて示された折り目を有し、
すすぎ、洗浄、および再使用可能な耐水性のカートンで作成され、
前記開口部の内側に自動接着式の材料の層を具えてもよく、
前記パッケージをどのように展開し、封鎖し、平坦に畳むかを示す一連の図を外側に具えてもよいことを特徴とするパッケージ。
【請求項５】
請求項４に記載のパッケージにおいて、前記パッケージの開口部が（図２３に示すように）他の２つの側部より大きな２つの側部を有し、前記開口部の大きな２つの側部の内側の中央には大きな側部と小さな側部の差と同じ大きさの追加の層を具え、これらは前記折り畳まれた開口部のどこからも漏出を防止するために同じだけの層が提供されるように形成されることを特徴とするパッケージ。
【請求項６】
請求項４に記載のパッケージにおいて、前記パッケージの折り畳まれた開口部の上側の外側が、展開状態で両側に追加の層を有し、これらの層は前記折り目の周りで、前記折り目の機能を完全に残すように中断されており、これらの追加の層により前記折り畳まれた開口部の上側が厚くなり閉塞器のスリットが上側にスライドしないことを特徴とするパッケージ。
【請求項７】
請求項４に記載のパッケージにおいて、前記パッケージは同じ材料でなる四角形と組み合わされ、この四角形はこれを３つの部分に分ける２本の平行な折り目を有し、これら３つの部分は前記パッケージの内側に入れた場合に前記パッケージの内側の３つの側部に正確に合致し、その一部は突出して前記パッケージの開口部の一部の周りに係合しうる２つのかぎ状の切れ目を有し、前記四角形の一部の２つの角部は突出して２つの追加かつ斜めの折り目で外側に折られるか、切り取られる（図２）ことを特徴とするパッケージ。
【請求項８】
請求項４に記載のパッケージにおいて、前記パッケージは非常用トイレとして使用するのに十分に大きく、折り畳まれた四角形が前記カートンの折り畳まれた開口部用の屋根として機能することができ、この屋根は前記パッケージの一方の側部に連結可能であり、他方の側には前記パッケージ上に設けられた女性用受け部（female receiver）の上に係合可能なフックとして機能する追加の部分があり、
前記折り畳まれた開口部を虫から遮断すべく、細かな網と組み合わせてもよく、
内容物の悪い部分を内側に保持すべく、フィルタと組み合わせて封止したパッケージの内圧が高くなった場合に気体が通って逃げる手段を組み合わせてもよく、
前記パッケージの周囲かつ上に配置することができ折り畳みおよび展開可能な折り畳み式の脚部を有するトイレシートのような座面と組み合わせてもよく、
前記パッケージの内側を保護して排泄物を収集するビニール袋と組み合わせてもよいことを特徴とするパッケージ。
【請求項９】
請求項４に記載のパッケージにおいて、前記切妻屋根式開口部または切妻屋根式上部の代わりに前記カートンの下側と同じような上側を具え、前記パッケージが図２２、２３、または１９および２０に示す追加の折り目をすべて具えて生産者により展開および閉じられ、図４１、４３、５４、５５、５６、または９、１０、１２、４８、５０のように平坦に折り畳まれることを特徴とするパッケージ。
【手続補正２】
【補正対象書類名】図面
【補正対象項目名】図６０
【補正方法】追加
【補正の内容】
【図６０】
2007534564.tif 000001
【手続補正３】
【補正対象書類名】図面
【補正対象項目名】図６１
【補正方法】追加
【補正の内容】
【図６１】
2007534564.tif 000002